(57)【特許請求の範囲】
【請求項１】
前面に設けられた開口の周縁に垂直部を折曲形成した箱体本体と、前記開口を被覆する扉体とで構成されるボックスの前記垂直部に取り付けられる戸当たり部材において、押さえと、突起を設けた固定用ツメとで前記垂直部を挟み込むことにより係止可能となる係止部と、前記押さえの前記固定用ツメと反対側には前記扉体を誘導するテーパー部を形成し、該テーパー部から延設して前記扉体を閉じる際に発生する衝撃を緩和する緩衝ツメを設け、該テーパー部を前記固定用ツメと表裏一体に設けて前記扉体に当接可能としたことを特徴とするボックスの戸当たり部材。
【発明の詳細な説明】
【０００１】
【発明の属する技術分野】
本発明は、前面に設けられた開口の周縁に垂直部を折曲形成した箱体本体と、開口を被覆して成る扉体とで構成されるボックスの戸当たり部材に関する。
【０００２】
【従来の技術】
従来、ボックスは、扉体を閉じるときに、傷が付かないように、図６に示すように、扉体３１と箱体本体３２の間にパッキン等の緩衝材３３を取り付けていた。または、図７に示すように、箱体本体３４の垂直部３５の端部に戸当たり部材３６を取り付けてい
た。
【０００３】
【発明が解決しようとする課題】
しかしながら上記ボックスでは、扉体に機器を多くつけたり、箱体本体を凹凸のある壁面に取り付けたりした場合に発生する扉下がりに関しては、防止できなかった。扉下がりを目立たなくするために、扉体や箱体本体をその状況に合わせ変形させたり、壁を平らにする必要があり、手間と時間がかかっていた。
【０００４】
【課題を解決するための手段】
そこで本発明は、簡単な構造で容易に取り付けができ、緩衝すると共に扉下がりも防止するボックスの戸当たり部材を提供することを目的とし、その構造は、前面に設けられた開口の周縁に垂直部を折曲形成した箱体本体と、開口を被覆する扉体とで構成されるボックスの垂直部に取り付けられる戸当たり部材において、押さえと、突起を設けた固定用ツメとで垂直部を挟み込むことにより係止可能となる係止部と、押さえの固定用ツメと反対側には扉体を誘導するテーパー部を形成し、テーパー部から延設して扉体を閉じる際に発生する衝撃を緩和する緩衝ツメを設け、テーパー部を固定用ツメと表裏一体に設けて扉体に当接可能としたことを特徴とする。
【０００５】
【発明の実施の形態】
本発明に係るボックスの戸当たり部材は、箱体本体の垂直部に係止可能な係止部と、扉体を誘導するテーパー部とが形成される。戸当たり部材を取り付けるには、戸当たり部材の弾性を用いて固定用ツメの内側に箱体本体の垂直部がくるように戸当たり部材を嵌め込む。扉体を閉じるときに発生する衝撃を緩めるために箱体本体と戸当たり部材との間には隙間と、緩衝ツメが形成される。また、扉体の端部が戸当たり部材のテーパー部に誘導され、開口に対向させて保持する。
【０００６】
また、扉下がりを防止するために、戸当たり部材を、ボックスの上側の垂直部に、さらに扉体を閉じるときに傷を付けないようにするために扉体の開閉側の垂直部とに取り付ける。
【０００７】
また、箱体本体の垂直部で、戸当たり部材の取り付け位置に切り欠きを設け、切り欠きに戸当たり部材を係止させることで扉体の開閉時に戸当たり部材がずれることを防ぐ。
【０００８】
【実施例】
本発明に係るボックスの戸当たり部材の実施例を図１〜図３の添付図面に基づいて説明する。
【０００９】
ボックス１は前面に設けられた開口２の周縁に垂直部３を折曲形成した箱体本体４と、開口２を被覆する扉体５とで構成される。本発明に係るボックス１の戸当たり部材６は、弾性のある樹脂等で形成され、垂直部３に係止可能な係止部７と、扉体５を誘導するテーパー部８とを形成している。係止部７は、押さえ９と固定用ツメ１０とで構成され、固定用ツメ１０の先端にはさらに突起１１を設けている。
【００１０】
戸当たり部材６の取り付け方法は、垂直部３の端部に固定用ツメ１０を引っ掛け、戸当たり部材６の弾性を用いて嵌め込み、押さえ９と固定用ツメ１０とで挟持する。突起１１を箱体本体４の垂直部３の下部に係止させ、固定する。一方、戸当たり部材６を取り外すには、取り付け方法と逆に、固定用ツメ１０をたわませて箱体本体４の垂直部３から外し、戸当たり部材６を取り外す。このように、着脱自在である。
【００１１】
戸当たり部材６を取り付けたときに、垂直部３と戸当たり部材６との間にわずかに隙間１２を形成する。固定用ツメ１０の反対側、扉体５に当接される側に形成されるテーパー部８に延設する形で端部の箱体本体４と当接する部分に緩衝ツメ１３を形成する。
【００１２】
扉体５を閉じるときには扉体５の端部が戸当たり部材６のテーパー部８にのりあげそのまま誘導される。扉体５は閉じたときに開口に対向する位置で保持されるので、扉下がりを防止することができる。また、扉体５を閉じるときには、扉体５の端部が戸当たり部材６に当接され、さらに隙間１２と緩衝ツメ１３によって衝撃が緩められるので、傷が付いたりしない。
【００１３】
また、他の実施例として、ボックスの戸当たり部材６は、ボックス１の前面に設けられた開口２の周縁に設けられた、上側の垂直部３と扉体５の開閉側の垂直部とに取り付ける。上側の垂直部３に取り付けた戸当たり部材６は、特に扉下がりを防止するもので、扉体５を閉じるときには扉体５の端部が戸当たり部材６のテーパー部８にのりあげそのまま誘導され、扉体５は閉じたときに開口に対向する位置で保持される。扉体の開閉側の垂直部３に取り付けた戸当たり部材６は、扉体５を閉じるときに衝撃を緩めるためのもので、扉体５の端部が戸当たり部材６に当接され、傷が付いたりしない。
【００１４】
また、図４に他の実施例に係るボックスの戸当たり部材を示す。ボックス１４の開口１５周縁に折曲形成された垂直部１６の、戸当たり部材１７を取り付ける位置に、切り欠き１８を設ける。切り欠き１８に戸当たり部材１７を係止させて、ずれないようにする。
【００１５】
本発明に係るボックスの戸当たり部材は、上記形状に限定されるものではなく、本発明の趣旨を逸脱しない範囲において適宜変更可能である。例えば図５に示すように、戸当たり部材１９には垂直部２０に係止可能な係止部２１と扉体２２を誘導するテーパー部２３とを形成する。係止部２１には係止凸部２４を設けると共に、垂直部２０には係止穴２５を設け、戸当たり部材１９を垂直部２０に嵌め込み、係止凸部２４を係止穴２５に係止させて固定する。また、戸当たり部材１９を垂直部２０に取り付けたとき、箱体本体２６に当接される緩衝部２７は爪形状にせず、テーパー部２３と緩衝部２７とを一体に連設しても良い。
【００１６】
【発明の効果】
以上述べたように、本発明に係るボックスの戸当たり部材は、垂直部に係止可能な係止部と、扉体を誘導するテーパー部とを形成すると共に、ボックスの垂直部に取り付けるため、機器を多く取り付けたり、凹凸のある壁面に箱体本体を取り付けた場合でも、扉体を閉じた状態では扉体は戸当たり部材に当接され、扉下がりが防止できる。そのため、従来、扉下がりを目立たなくするためにしていた扉体や箱体本体の変形や、壁を平らにするといった、手間も時間も省くことができ、作業性を向上させることができる。戸当たり部材が扉下がりの防止もするため、別途扉下がりのための部品を取り付ける必要もなく、部品点数も抑えることができ、組み立ての手間も軽減される。戸当たり部材の着脱は、工具を用いなくても容易にでき、ボックスの色の塗り替えの際にも、戸当たり部材の着脱の手間が軽減される。
【００１７】
また、ボックスの、上側の垂直部と扉体の開閉側の垂直部とに取り付けるため、機器を多く取り付けたり、凹凸のある壁面に箱体本体を取り付けた場合でも、扉体を閉じた状態では扉体は戸当たり部材に当接され、扉下がりが防止できる。そのため、従来、扉下がりを目立たなくするためにしていた扉体や箱体本体の変形や、壁を平らにするといった、手間も時間も省くことができ、作業性を向上させることができる。戸当たり部材が扉下がりの防止もするため、別途扉下がりのための部品を取り付ける必要もなく、部品点数も抑えることができ、組み立ての手間も軽減される。戸当たり部材の着脱は、工具を用いなくても容易にでき、ボックスの色の塗り替えの際にも、戸当たり部材の着脱の手間が軽減される。
【００１８】
また、箱体本体の垂直部で、戸当たり部材の取り付け位置に切り欠きを設け、切り欠きに戸当たり部材を係止するため、扉体の開閉時に戸当たり部材がずれることを防止する。
【図面の簡単な説明】
【図１】本発明に係るボックスの戸当たり部材を示す斜視図である。
【図２】本発明に係るボックスの戸当たり部材を示す断面図である。
【図３】本発明に係るボックスの戸当たり部材の取り付け方法を示す説明図である。
【図４】本発明に係るボックスの戸当たり部材を示す斜視図である。
【図５】本発明に係るボックスの戸当たり部材を示す断面図である。
【図６】従来技術におけるボックスの戸当たり部材を示す断面図である。
【図７】従来技術におけるボックスの戸当たり部材を示す斜視図である。
【符号の説明】
１    ボックス
２    開口
３    垂直部
４    箱体本体
５    扉体
６    戸当たり部材
７    係止部
８    テーパー部
９    押さえ
１０    固定用ツメ
１１    突起
１２    隙間
１３    緩衝ツメ
１４    ボックス
１５    開口
１６    垂直部
１７    戸当たり部材
１８    切り欠き
１９    戸当たり部材
２０    垂直部
２１    係止部
２２    扉体
２３    テーパー部
２４    係止凸部
２５    係止穴
２６    箱体本体
２７    緩衝部
【図１】
0004883597.tif 000002
【図２】
0004883597.tif 000003
【図３】
0004883597.tif 000004
【図４】
0004883597.tif 000005
【図５】
0004883597.tif 000006
【図６】
0004883597.tif 000007
【図７】
0004883597.tif 000008